【事件の表示】
　平成１０年特許願第　４０１４３号「画像処理装置および画像処理方法」拒絶査定不服審判事件〔平成１１年　８月３１日出願公開、特開平１１−２３９２６９〕について、次のとおり審決する。
【結　論】
　本件審判の請求は、成り立たない。
【理　由】
第１　手続の経緯
　本願は、平成１０年２月２３日の出願であって、平成１６年６月２３日付で拒絶査定がされ、これに対し、同年７月２８日に拒絶査定不服審判が請求されるとともに、同年８月２６日付で手続補正がなされたものである。
　
第２　平成１６年８月２６日付の手続補正についての補正却下の決定
１　補正却下の決定の結論
　　平成１６年８月２６日付の手続補正を却下する。
　
２　理由
（１）補正後の本願発明
　本願の発明は、平成１６年８月２６日付けで補正された特許請求の範囲の請求項１ないし７に記載されたものと認められるところ、その請求項１に記載された発明（以下「本願補正発明」という。）は、次のとおりのものである。
「【請求項１】
　画像データ供給源から供給された画像を用いて画像処理条件を設定する画像処理装置であって、
　前記画像は、画像内容に対応付けられたシーン情報が付与されるものであり、
　前記画像の記録時および前記画像データ供給源から画像が供給された時の少なくとも一方の時期に、前記シーン情報を書き込む書込手段と、
　前記画像に付与された前記シーン情報を取得する取得手段と、
　前記画像に所定の画像処理を施す画像処理アルゴリズムの情報を複数備え、シーン情報に応じた複数の画像処理アルゴリズムの組み合わせ、または画像処理アルゴリズムの重み付けが画像処理条件として決定されており、取得された前記シーン情報に応じて前記画像処理条件を設定する条件設定部とを有することを特徴とする画像処理装置。」
　
　上記補正は、補正前の請求項１に記載した発明を特定するために必要な事項である「条件設定部」について限定を付加するものであって、特許法１７条の２第４項２号の特許請求の範囲の減縮を目的とするものに該当する。
　そこで、本願補正発明が特許出願の際独立して特許を受けることができるものであるか（特許法１７条の２第５項において準用する同法１２６条５項の規定に適合するか）について以下に検討する。
　
（２）引用文献
　原査定の拒絶の理由に引用された、特開平６−２５３１４７号公報（以下「引用例」という。）には、図面とともに次の事項が記載されている。
　ア　「【請求項１】  フィルムの各コマに撮影されたフィルム画像を光電変換手段で撮像し、この撮像画像を再生表示するフィルム画像再生装置において、上記フィルム画像の各コマに対応して記録された撮影に関する情報を読み取る情報読取手段と、上記撮影に関する情報から画質補正の内容を設定する階調補正設定手段と、設定された画質補正内容に基づいて上記撮像画像の画質を補正する画質補正手段とを備えたことを特徴とするフィルム画像再生装置。」
　
　イ　「【００１３】本発明は、上記課題に鑑みてなされたものであり、フィルム画像を撮像した撮像画像に撮影内容に応じた画質補正を施し、乃至は輝度差の大きいフィルム画像に対して輝度差を小さくする階調補正を施し、撮影内容及び撮影条件に対応した好適な画像をＴＶモニターに表示することのできるフィルム画像再生装置を提供することを目的とする。
【００１４】
【課題を解決するための手段】上記課題を解決するため、本発明は、フィルムの各コマに撮影されたフィルム画像を光電変換手段で撮像し、この撮像画像を表示するフィルム画像再生装置において、上記フィルム画像の各コマに対応して記録された撮影に関する情報を読み取る情報読取手段と、上記撮影に関する情報から画質補正の内容を設定する階調補正設定手段と、設定された画質補正内容に基づいて上記撮像画像の画質を補正する画質補正手段とを備えたものである（請求項１）。」
　
　ウ　「【００１７】上記フィルム画像のＶモニター等への再生表示に際し、当該コマに対応する撮影に関する情報、例えば合焦度、露光レベル、撮影倍率、光源及び撮影時期等の情報（以下、撮影情報という）が読み取られ、この撮影情報に基づいて所定の階調補正及び輪郭補正等の画質補正の内容が設定される。そして、上記撮像信号は、上記信号処理において、上記設定された画質補正内容に基づいて所定の画質が補正された後、ＴＶモニター等に再生表示される。」
　
　エ　「【００２３】９は上記フィルム４の各コマ毎に記録された、合焦精度、撮影時の光源、輝度差、撮影時の露光レベル、撮像倍率及び撮影時期等の撮影に関するデータ（以下、撮影データという）を読み取る撮影データ読取装置である。上記撮影データは、フィルム４に各コマに対応して直接記録されているか、或いは半導体メモリやフロッピーディスク等の記録媒体に記録されている。前者の場合は、たとえばフィルム４の撮影領域外に磁気記録部を設け、該磁気記録部に各コマに対応して撮影データが磁気的に記録されている。」
　
　オ　「【００４２】図２は、撮影データの内容と補正内容との関係を示す図である。同図において、「※」「＊」は当該撮影データの内容及び補正内容に該当することを示し、「※」は階調補正に対する該当印、「＊」は輪郭補正に対する該当印である。
【００４３】本実施例では、階調補正の内容を「軟調」，「普通」，「硬調」，「超硬調」の４種類に分類し、輪郭補正の内容を「弱」，「普通」，「強」，「超強」の４種類に分類している。補正内容は、「普通」を標準的な補正レベルとし、「軟調」，「硬調」，「超硬調」，「弱」，「強」，「超強」等の各補正レベルは、「普通」の補正レベルに対する相対的なレベルとなっている。
【００４４】本実施例では、階調補正及び輪郭補正の各補正内容を４種類に分類しているが、補正内容の分類数は任意に設定することができる。」
　
　カ　「【００５３】本実施例では、撮像倍率βからフィルム画像の撮影内容を建物、景色等を撮影した風景写真、記念写真に見られるような複数の人物を集合させて撮影した集合写真、ポートレート及び花等を接写したマクロ撮影写真の４種類に分類している。」
　
　キ　「【００９０】すなわち、撮影時期が夏でなく、フィルム画像がマクロ撮影写真（＃１６０でＮＯ）又は集合写真のときは（＃１７０でＮＯ）、階調補正及び輪郭補正をそれぞれ「普通」に設定し、フィルム画像がポートレートのときは（＃１６５でＮＯ）、階調補正を「軟調」に、輪郭補正を「弱」にそれぞれ設定し、フィルム画像が風景写真のときは（＃１７５でＮＯ）、階調補正を「硬調」に、輪郭補正を「強」にそれぞれ設定する（図２のＮｏ．１４〜Ｎｏ．１７，Ｎｏ．２２〜Ｎｏ．２５参照）。
【００９１】また、撮影時期が夏で、フィルム画像がマクロ撮影写真（＃１６０でＹＥＳ）又は集合写真のときは（＃１７０でＹＥＳ）、階調補正を「硬調」に、輪郭補正を「普通」にそれぞれ設定し、フィルム画像がポートレートのときは（＃１６５でＹＥＳ）、階調補正を「普通」に、輪郭補正を「弱」にそれぞれ設定し、フィルム画像が風景写真のときは（＃１７５でＹＥＳ）、階調補正を「超硬調」に、輪郭補正を「強」にそれぞれ設定する（図２のＮｏ．１８〜Ｎｏ．２１，Ｎｏ．２６〜Ｎｏ．２９参照）。・・・
【００９３】上記実施例では、撮影データの内容に基づいて階調補正及び輪郭補正の画質補正を行うようにしているが、階調補正又は輪郭補正のみの画質補正を行っても良く、或いは色補正を合わせて行うようにしても良い。」
　
　以上の記載事項によると、引用例には、
「フィルム画像を光電変換手段で撮像し、この撮像画像を再生表示するフィルム画像再生装置であって、
　上記フィルム画像の各コマに対応して記録された、合焦精度、撮影時の光源、輝度差、撮影時の露光レベル、撮像倍率及び撮影時期等の撮影に関する情報を読み取る情報読取手段と、
　上記撮影に関する情報から画質補正内容を設定する画質補正設定手段と、
設定された画質補正内容に基づいて上記撮像画像の画質を補正する画質補正手段を有するフィルム画像再生装置」の発明（以下「引用発明」という。）が記載されていると認められる。
　
（３）対比
　本願補正発明と引用発明を対比する。
　引用発明の「光電変換手段」は、本願補正発明の「画像データ供給源」に相当する。
　引用発明の「撮影に関する情報」は、各コマに対応した情報であるので、、本願補正発明の「シーン情報」に相当する。
　本願補正発明の「前記画像の記録時および前記画像データ供給源から画像が供給された時の少なくとも一方の時期に、前記シーン情報を書き込む書込手段と、」は、シーン情報を書き込む時期が、ａ）画像の記録時、又は、ｂ）画像データ供給源から画像が供給された時、又は、ｃ）画像の記録時、及び画像データ供給源から画像が供給された時、のいずれかであればいいことを示している。
　引用発明の「撮影に関する情報」は、フィルムの撮影領域外の磁気記録部に各コマに対応して記録されているものであるので（前掲エ参照）、引用発明は、「画像は、シーン情報が付与されるものであり、前記画像の記録時に、前記シーン情報を書き込む書込手段」を有しているといえる。
　引用発明の「撮影に関する情報を読み取る情報読取手段」は、本願補正発明の「シーン情報を取得する取得手段」に相当する。
　引用発明は、「撮影に関する情報」から、「風景写真」、「集合写真」、「ポートレート」、「マクロ撮影写真」という撮影内容に分類し（前掲カ参照）、撮影内容に応じて、階調補正及び輪郭補正の組み合わせを決定しているものである（前掲キ参照）。
　階調補正及び輪郭補正には、それぞれ「普通」の補正レベルに対する相対的なレベルとして「弱」、「強」、「超強」などの複数の補正レベル、つまり、複数の画像処理アルゴリズムを備えているものであり（前掲オ参照）、引用発明には、「画像に所定の画像処理を施す画像処理アルゴリズムの情報を複数備え」ているといえる。
　そして、階調補正や輪郭補正などの複数の補正レベルは、主である画像処理アルゴリズムの重み付けで作成されることは当業者に明らかであるので、引用発明には、「シーン情報に応じた複数の画像処理アルゴリズムの組み合わせ、または画像処理アルゴリズムの重み付けが画像処理条件として決定されており、取得された前記シーン情報に応じて前記画像処理条件を設定する条件設定部」を有しているといえる。
　引用発明の「フィルム画像再生装置」は、設定された画質補正内容に基づいて、撮像画像の画質を補正するものであるので、「画像処理装置」である。
　
　以上を踏まえると、本願補正発明と引用発明とは、
「画像データ供給源から供給された画像を用いて画像処理条件を設定する画像処理装置であって、
　前記画像は、シーン情報が付与されるものであり、
　前記画像の記録時に、前記シーン情報を書き込む書込手段と、
　前記画像に付与された前記シーン情報を取得する取得手段と、
　前記画像に所定の画像処理を施す画像処理アルゴリズムの情報を複数備え、シーン情報に応じた複数の画像処理アルゴリズムの組み合わせ、または画像処理アルゴリズムの重み付けが画像処理条件として決定されており、取得された前記シーン情報に応じて前記画像処理条件を設定する条件設定部とを有することを特徴とする画像処理装置。」で一致し、
　シーン情報が、本願補正発明は画像内容に対応付けられたものであるのに対し、引用発明は合焦精度、撮影時の光源、輝度差、撮影時の露光レベル、撮像倍率及び撮影時期等の撮影に関するデータである点で相違する。
　
（４）相違点についての判断
　上記相違点について検討する。
　本願当初明細書には、「画像内容に対応付けられたシーン情報」の説明として、「【００２３】このようなシーン情報には特に限定はなく、例えば、人物、花、風景、夜景、室内、花火、雪、夕日、静物等が例示され、さらに、人物（逆光）、人物（近接）、風景（海）、風景（山）、室内（蛍光灯）、室内（タングステンランプ）等、より細かな設定としてもよい。」と記載されている。
　引用発明は、「撮影に関する情報」というシーン情報から、画像を「風景写真」、「集合写真」、「ポートレート」、「マクロ撮影写真」という撮影内容に分類し（前掲カ参照）、撮影内容に応じて、画質補正を行うものである（前掲キ参照）が、本願補正発明の「画像内容に対応付けられたシーン情報」に相当する「分類された撮影内容に関する情報」は、シーン情報として、画像の記録時に、記録されていない。
　しかし、画像とともに、画像内容に対応付けられたシーン情報を記録する技術は、例えば、以下に示すように周知の技術である。
ａ）特開平９−９８３２５号公報には、「【０００８】・・・例えば、モード１は通常撮影モード、モード２は白黒原稿撮影モード・・・である・・・
【００１０】図３に撮像時の手順のフローチャートを示す。まず、使用者は撮像時において、撮影モード設定用スイッチ３−５を用いて撮影モードを設定する。そして、撮影を行う場合、使用者が撮影用スイッチ３−６を押すと、処理用ＣＰＵ３−２はそれを検知して（５−１）撮像素子３−１から画像データを取り込み（５−２）、記憶装置３−３上に記録する（５−３）。次に、処理用ＣＰＵ３−２は撮影モード設定用スイッチ３−５から現在設定されている撮影モードを取得し（５−４）、設定情報記憶装置３−４の再生処理手段識別テーブルから、設定されている撮影モードに対応する再生処理手段識別情報を取り出して（５−５）、画像データと再生処理手段識別情報とを関連付けて記憶装置３−３上のマップファイル上に記録する（５−６）。」と記載されている。
ｂ）特開平７−１８４１５８号公報には、「【００１７】・・・125はメモリカード15に記録される情報が文書情報か、人物又は風景の自然画像情報かを識別する識別データを記録する識別領域である。・・・
【００３４】尚、上記の実施例において、画像属性判定手段としての機能を有する処理制御装置119における属性判定は、入力装置121に設定キーを設けて外部から属性を手動で設定できるようにすることが考えられる。このことにより、同じ種類の画像を撮影する場合に、画像が文書，人物，風景のいずれかであることを手動で設定することにより、属性判定の処理時間の短縮化を図ることができ、判定ミスを防止することできる。」と記載されている。
ｃ）特開平６−７８２６０号公報には、「【００１６】・・・このようにしてディレクトリの選択又はディレクトリの作成が終了したらステップ８に進み、レリーズボタン６を操作して被写体の撮影を行う。・・・
【００１７】ステップ10では、撮影した画像データに、日付，ディレクトリ情報，音声データの有無及びオートブラケット撮影モード等の各種情報を付加する。ステップ11では、ステップ10で各種情報が付加された画像データをメモリカード３内の選択されたディレクトリに記録する。・・・
【００２５】用意するディレクトリとしては、例えば「ポートレート」，「集合写真」，「風景」，「クローズアップ」，「スポーツ」，「自動選択」等とし、撮影する被写体の種類によって、これらの中から選択して画像を記録する。この場合、これらの被写体の撮影に際しては、撮影に適合した絞りやシャッタスピード等の撮影条件が異なるので、撮影時にディレクトリを選択した時にその被写体に適合したカメラのシャッタスピードや絞りが自動的に選択されるようにして、撮影時には、ディレクトリを選択してレリーズボタンを操作するだけで選択したディレクトリに画像が記録されるようにするとよい。」と記載されている。
　したがって、引用発明の画像の記録時に書き込まれるシーン情報に、上記周知の技術を適用して、画像内容に対応付けられたシーン情報とすることは、当業者が容易になし得たことと認められる。
　また、本願補正発明の作用効果も、引用発明及び周知技術を勘案すれば、当業者が予測できる範囲内のものにすぎない。
　よって、本願補正発明は、引用例に記載された発明及び周知技術に基づいて、当業者が容易に発明をすることができたものであるから、特許法２９条２項の規定により特許出願の際独立して特許を受けることができないものである。
　
（５）むすび
　以上のとおり、本件補正は、特許法１７条の２第５項で準用する同法１２
６条５項の規定に違反するものであり、１５９条１項で準用する５３条１項の規定により却下されるべきものである。
　
第３　本願発明について
　平成１６年８月２６日付の手続補正は上記のとおり却下されたので、本願の請求項１に係る発明（以下「本願発明」という。）は、平成１５年１２月２６日付け手続補正で補正された特許請求の範囲の請求項１に記載された事項により特定される、以下のとおりのものである。
「【請求項１】
　画像データ供給源から供給された画像を用いて画像処理条件を設定する画像処理装置であって、
　前記画像は、画像内容に対応付けられたシーン情報が付与されるものであり、
　前記画像の記録時および前記画像データ供給源から画像が供給された時の少なくとも一方の時期に、前記シーン情報を書き込む書込手段と、
　前記画像に付与された前記シーン情報を取得する取得手段と、
　取得された前記シーン情報に応じて画像処理条件を設定する条件設定部とを有することを特徴とする画像処理装置。」
　
１　引用例
　原査定の拒絶の理由に引用された引用例及びその記載事項は、前記「第２　２（２）」に記載したとおりである。
　
２　対比・判断
　本願発明は、前記「第２　２」で検討した本願補正発明から「条件設定部」における「前記画像に所定の画像処理を施す画像処理アルゴリズムの情報を複数備え、シーン情報に応じた複数の画像処理アルゴリズムの組み合わせ、または画像処理アルゴリズムの重み付けが画像処理条件として決定されており、」との限定を省いたものである。
　そうすると、本願発明の構成要件をすべて含み、さらに他の構成要件を付加したものに相当する本願補正発明が、前記「第２　２（４）」に記載したとおり、引用発明及び周知技術に基づいて、当業者が容易に発明をすることができたものであるから、本願発明も同様の理由により、引用例記載の発明及び周知技術に基づいて当業者が容易に発明をすることができたものである。
　
３　むすび
　以上のとおり、本願発明は、引用例に記載された発明及び周知技術に基づいて、当業者が容易に発明をすることができたもので、特許法２９条２項の規定により特許を受けることができないから、他の請求項について検討するまでもなく、本願は拒絶すべきものである。
　よって、結論のとおり審決する。